(57)【要約】      （修正有）【課題】プロジェクターを適切な位置に容易かつ迅速にセッティングできると共に、プロジェクター専用の保管スペースを要しないプロジェクター内蔵デスクを提供する。【解決手段】プロジェクター内蔵デスク１は、机天板の一部に反転可能に構成された反転板４を有しており、反転板４の裏面４ａ側にプロジェクターが取り付けられ、プロジェクター２が内部に収納設置され、出現可能に構成されている。【選択図】図１
0003180029.tif 000002
【実用新案登録請求の範囲】
【請求項１】
プロジェクターが内部に収納設置され出現可能に構成されていることを特徴とするプロジェクター内蔵デスク。
【請求項２】
前記プロジェクター内蔵デスクは、机天板の一部に反転可能に構成された反転板を有しており、該反転板の裏面側にプロジェクターが取り付けられている請求項１に記載のプロジェクター内蔵デスク。
【請求項３】
前記プロジェクターは面ファスナーにより、前記反転板の裏面側に取り付けられている請求項２に記載のプロジェクター内蔵デスク。
【請求項４】
前記反転板は反転軸により反転可能に取り付けられている請求項２または３に記載のプロジェクター内蔵デスク。
【請求項５】
前記反転板の下方には、プロジェクター収納用凹部が設けられている請求項２ないし４のいずれかに記載のプロジェクター内蔵デスク。
【請求項６】
前記反転軸は前記反転板の端辺部に沿って設けられると共に、前記机天板の端辺部の上方付近において前記机天板の端辺部に沿って設けられている請求項４または５に記載のプロジェクター内蔵デスク。
【請求項７】
前記反転板は、前記机天板の端辺部の上端面が外方に向かって下降する傾斜面に形成されることにより、前記机天板の延在方向に対して角度調整可能に構成されている請求項６に記載のプロジェクター内蔵デスク。
【請求項８】
前記反転軸は前記反転板の中央部に沿って設けられ、前記プロジェクター収納用凹部の上方中央付近を軸として反転可能に取り付けられている請求項４または５に記載のプロジェクター内蔵デスク。
【請求項９】
前記反転板は、回転角度を変更することにより、前記机天板の延在方向に対して角度調整可能に構成されている請求項８に記載のプロジェクター内蔵デスク。
【請求項１０】
前記プロジェクター内蔵デスクは、プロジェクター収納時には、前記机天板と前記反転板とが略面一となるように構成されている請求項２ないし９のいずれかに記載のプロジェクター内蔵デスク。
【請求項１１】
前記プロジェクター内蔵デスクは、スクリーンが内部に収納され取り出し可能に構成されている請求項１ないし１０のいずれかに記載のプロジェクター内蔵デスク。
【請求項１２】
前記スクリーンはロールスクリーンである請求項１１に記載のプロジェクター内蔵デスク。
【請求項１３】
前記机天板は複数の天板から形成され折り畳み可能に構成されている請求項２ないし１２のいずれかに記載のプロジェクター内蔵デスク。
【請求項１４】
前記プロジェクター内蔵デスクは、キャスターを備えた脚部を有している請求項１ないし１３のいずれかに記載のプロジェクター内蔵デスク。
【請求項１５】
前記プロジェクター内蔵デスクは、電源供給部を有している請求項１ないし１５のいずれかに記載のプロジェクター内蔵デスク。
【考案の詳細な説明】
【技術分野】
【０００１】
本考案は、内部にプロジェクターを備えたプロジェクター内蔵デスクに関するものである。
【背景技術】
【０００２】
従来より、例えば会議のプレゼンテーション等においてプロジェクターが多用されている。
このようなプロジェクターは、通常、使用時毎に会議用デスクや専用台上に載置されて位置調整がなされセッティングされている。また、不使用時には会議室等内において保管用スペースを要した。
【０００３】
しかし、限られた会議室スペース内等で、その都度、プロジェクターを会議用デスクや専用台上に載置して、会議用デスクやスクリーンとの関係で適切な位置にセッティングする作業は煩雑であり調整等にも時間を要した。
【先行技術文献】
【特許文献】
【０００４】
【特許文献１】引用なし
【考案の概要】
【考案が解決しようとする課題】
【０００５】
そこで、本考案の課題は、プロジェクターを適切な位置に容易かつ迅速にセッティングできると共に、プロジェクター専用の保管スペースを要しないプロジェクター内蔵デスクを提供することにある。
【課題を解決するための手段】
【０００６】
上記課題を解決するものは、プロジェクターが内部に収納設置され出現可能に構成されていることを特徴とするプロジェクター内蔵デスクである。
【０００７】
前記プロジェクター内蔵デスクは、机天板の一部に反転可能に構成された反転板を有しており、該反転板の裏面側にプロジェクターが取り付けられていることが好ましい。前記プロジェクターは面ファスナーにより、前記反転板の裏面側に取り付けられていることが好ましい。前記反転板は反転軸により反転可能に取り付けられていることが好ましい。前記反転板の下方には、プロジェクター収納用凹部が設けられていることが好ましい。前記反転軸は前記反転板の端辺部に沿って設けられると共に、前記机天板の端辺部の上方付近において前記机天板の端辺部に沿って設けられていることが好ましい。前記反転板は、前記机天板の端辺部の上端面が外方に向かって下降する傾斜面に形成されることにより、前記机天板の延在方向に対して角度調整可能に構成されていることが好ましい。前記反転軸は前記反転板の中央部に沿って設けられ、前記プロジェクター収納用凹部の上方中央付近を軸として反転可能に取り付けられていてもよい。前記反転板は、回転角度を変更することにより、前記机天板の延在方向に対して角度調整可能に構成されていることが好ましい。前記プロジェクター内蔵デスクは、プロジェクター収納時には、前記机天板と前記反転板とが略面一となるように構成されていることが好ましい。前記プロジェクター内蔵デスクは、スクリーンが内部に収納され取り出し可能に構成されていることが好ましい。前記スクリーンはロールスクリーンであることが好ましい。前記机天板は複数の天板から形成され折り畳み可能に構成されていることが好ましい。前記プロジェクター内蔵デスクは、キャスターを備えた脚部を有していることが好ましい。前記プロジェクター内蔵デスクは、電源供給部を有していることが好ましい。
【考案の効果】
【０００８】
請求項１に記載のプロジェクター内蔵デスクによれば、プロジェクターを適切な位置に容易かつ迅速にセッティングできると共に、プロジェクター専用の保管スペースを要しない。
請求項２に記載のプロジェクター内蔵デスクによれば、上記請求項１の効果を有するプロジェクター内蔵デスクを容易かつ簡素な構造で作製できる。
請求項３に記載のプロジェクター内蔵デスクによれば、プロジェクターを反転板の裏面側に容易かつ低廉に取り付けることができる。
請求項４に記載のプロジェクター内蔵デスクによれば、反転可能な反転板を容易かつ簡素な構造で作製できる。
請求項５に記載のプロジェクター内蔵デスクによれば、不使用時にプロジェクター収納用凹部内でプロジェクターを保護することができる。
請求項６に記載のプロジェクター内蔵デスクによれば、プロジェクター使用時に机天板の外方にプロジェクターが配されるプロジェクター内蔵デスクを作製できる。
請求項７に記載のプロジェクター内蔵デスクによれば、反転板を角度調整することであおり調整を行うことができる。
請求項８に記載のプロジェクター内蔵デスクによれば、プロジェクター使用時に机天板の平面領域内にプロジェクターが配されるプロジェクター内蔵デスクを作製できる。
請求項９に記載のプロジェクター内蔵デスクによれば、反転板の回転角度を調整することであおり調整を行うことができる。
請求項１０に記載のプロジェクター内蔵デスクによれば、プロジェクターの不使用時には通常のデスクとして使用できる。
請求項１１に記載のプロジェクター内蔵デスクによれば、スクリーンを適切な位置に容易かつ迅速にセッティングできると共に、スクリーン専用の保管スペースも要しないプロジェクター内蔵デスクとなる。
請求項１２に記載のプロジェクター内蔵デスクによれば、上記請求項１１の効果を有するプロジェクター内蔵デスクをより簡素な構造で作製できる。
請求項１３に記載のプロジェクター内蔵デスクによれば、不使用時により占有スペースを要しないプロジェクター内蔵デスクとなる。
請求項１４に記載のプロジェクター内蔵デスクによれば、移動容易なプロジェクター内蔵デスクとなる。
請求項１５に記載のプロジェクター内蔵デスクによれば、プロジェクターの電源を他から取る必要のないプロジェクター内蔵デスクとなる。
【図面の簡単な説明】
【０００９】
【図１】本考案のプロジェクター内蔵デスクの一実施例におけるプロジェクター使用時の斜視図である。
【図２】図１に示したプロジェクター内蔵デスクにおけるプロジェクター収納時の斜視図である。
【図３】図１に示したプロジェクター内蔵デスクおける反転板の作用を説明するための説明図である。
【図４】図１に示したプロジェクター内蔵デスクにおけるスクリーン使用時の説明図である。
【図５】図１に示したプロジェクター内蔵デスクにおけるスクリーン収納時の説明図である。
【図６】図１に示したプロジェクター内蔵デスクにおける天板折り畳み時の斜視図である。
【図７】本発明のプロジェクター内蔵デスクの他の実施例における反転板の作用を説明するための説明図である。
【考案を実施するための形態】
【００１０】
本考案では、プロジェクター２が内部に収納設置され出現可能に構成されていることで、プロジェクター２を適切な位置に容易かつ迅速にセッティングできると共に、プロジェクター専用の保管スペースを要しないプロジェクター内蔵デスク１を実現した。
【実施例１】
【００１１】
本考案のプロジェクター内蔵デスクを図１ないし図６に示した一実施例を用いて説明する。
この実施例のプロジェクター内蔵デスク１は、図１ないし図３に示すように、プロジェクター２が内部に収納設置され出現可能に構成されたプロジェクター内蔵デスクであって、机天板３の一部に反転可能に構成された反転板４が設けられており、反転板４の裏面４ａ側にプロジェクター２が取り付けられている。以下、各構成について順次詳述する。
【００１２】
この実施例の机天板３は、２枚の天板３ａ，３ｂから構成されており、図６に示すように、２枚の天板３ａ，３ｂの境界で折り畳み可能に構成されている。これにより、不使用時には、より占有スペースを要しない形態のプロジェクター内蔵デスクとなる。
【００１３】
机天板３の一部には、図１ないし図３に示すように、反転可能に構成された反転板４が設けられており、反転板４の裏面４ａ側にはプロジェクター２が取り付けられている。プロジェクター２は面ファスナー（図示しない）を介して、反転板４の裏面４ａ側に取り付けられている。ただし、反転板４の裏面４ａ側へのプロジェクター２の固定手段は面ファスナーに限定されず、磁石や嵌め込みなど他の方法によってもよい。
【００１４】
反転板４は、図３に示すように、反転軸５により反転可能に取り付けられている。具体的には、反転軸５は反転板４の一端辺部４ｂに沿って設けられると共に、机天板３の一端辺部３ｃの上方付近において机天板３の一端辺部３ｃに沿って設けられている。これにより、プロジェクター使用時に、反転軸５を軸として反転板４を反転させると、プロジェクター２が出現すると共に机天板３の外方にプロジェクター２が位置するように構成されている。
【００１５】
プロジェクター不使用時の反転板４の下方には、図３に示すように、プロジェクター収納用凹部６が設けられており、反転板４の裏面４ａ側で、かつ、このプロジェクター収納用凹部６内でプロジェクター２が保護されるように構成されている。
【００１６】
また、反転板４は、図３に示すように、机天板３の端辺部３ｃの上端面３ｄが外方に向かって下降する傾斜面に形成されることにより、机天板３の延在方向に対して角度調整可能に構成されている。この反転板４の角度調整により、プロジェクター２のあおり調整を行うことができる。
【００１７】
プロジェクター内蔵デスク１は、図２に示すように、プロジェクター収納時には、机天板３（具体的には、天板３ａ）と反転板４とが略面一となるように構成されている。これにより、机天板３と反転板４との間に段差が形成されず、プロジェクターの不使用時には通常のデスクとして使用できる。
【００１８】
プロジェクター内蔵デスク１は、スクリーン７が内部に収納され取り出し可能に構成されている。これにより、スクリーンを適切な位置に容易かつ迅速にセッティングできると共に、スクリーン専用の保管スペースも要しないプロジェクター内蔵デスクが構成される。
【００１９】
具体的には、スクリーン７は、図２に示すように、机天板３を構成する天板３ｂの端辺部３ｄに沿って内蔵されている。スクリーン７は、図５に示すように、ロールスクリーンであり、一端辺部７ａが引上げ用長尺材７ｂに固定されている。そして、スクリーン７の使用時には、引上げ用長尺材７ｂを垂直方向に引き上げることにより、図１または図４に示すようにスクリーンが形成される。他方、スクリーン７の不使用時には、引上げ用長尺材７ｂを引き下げることにより、ロールスクリーンが自動的に巻回軸７ｃに巻回されて図５に示すように天板３ｂの端辺部３ｄに沿って収納されるように構成されている。なお、巻回軸７ｃの両端部はそれぞれ天板３ｂに取り付けられており、天板３ｂ内には、ロールスクリーンを収納するためのスクリーン収納用凹部７ｄが設けられている。
【００２０】
また、プロジェクター内蔵デスク１は、図１または図２に示すように、キャスター８を備えた脚部９を有している。これにより、プロジェクター内蔵デスク１を所望の位置に移動可能に構成されている。
【００２１】
さらに、プロジェクター内蔵デスク１は、電源供給部（図示しない）を有していることが好ましい。これにより、プロジェクター２の電源を他から取る必要のないプロジェクター内蔵デスクとなる。なお、電源供給部の配置部位としては、プロジェクター２に電源を供給しやすいプロジェクター収納用凹部６内であって端辺部３ｃの内側面などが好適である。
【００２２】
つきに、本考案のプロジェクター内蔵デスク１の使用方法について説明する。
プロジェクター２を使用する場合は、図３に示すように、反転板４を反転軸５を軸として時計回りに略１８０°回転されて反転させ、反転板４の裏面４ａ側を上面としてプロジェクター２を出現させる。また、引上げ用長尺材７ｂを引き上げて、図１に示すように、ロールスクリーンを垂直方向に張設する。さらに、反転板４の角度調整により、プロジェクター２のあおり調整を行った後、プロジェクター２を使用する。
【００２３】
プロジェクター２の使用が終了したら、反転板４を反転軸５を軸として反時計回りに略１８０°回転されて反転させ、図２に示した初期状態に戻して、反転板４の裏面４ａ側を下面としてプロジェクター２をプロジェクター収納用凹部６内で収納保管する。また、引上げ用長尺材７ｂを引き下げることにより、ロールスクリーンが自動的に巻回軸７ｃに巻回されてスクリーン収納用凹部７ｄ内に収納される。
【００２４】
プロジェクター２を使用しない時は、図２に示すように、反転板４を反転せず、また、スクリーンを引き出さず、通常のデスクとして使用する。
【００２５】
さらに、図７に示した本考案のプロジェクター内蔵デスクの他の実施例について説明する。
この実施例の本考案のプロジェクター内蔵デスク１０と前述したプロジェクター内蔵デスク１との相違は、反転板の取り付け位置のみであり他は同様である。プロジェクター内蔵デスク１と同一構成部分については同一符号を付し説明を省略する。
【００２６】
具体的には、この実施例の反転軸１５は反転板１４の中央部に沿って設けられており、反転板１４はプロジェクター収納用凹部６の上方中央付近の反転軸１５を軸として反転可能に取り付けられている。これにより、プロジェクター内蔵デスク１のように、プロジェクター使用時に、プロジェクター２が机天板３の外方に位置することなく、机天板３の平面領域内にプロジェクター２を配することができる。
【００２７】
また、この実施例のプロジェクター内蔵デスク１０では、反転板１５の回転角度を変更することで机天板３の延在方向に対して角度調整可能に構成されているため、プロジェクター２のあおり調整を行うことができる。
【符号の説明】
【００２８】
１    プロジェクター内蔵デスク
２    プロジェクター
３    机天板
３ａ  天板
３ｂ  天板
４    反転板
４ａ  裏面
５    反転軸
６    プロジェクター収納用凹部
７    スクリーン
７ａ  端辺部
７ｂ  引き上げ用長尺材
７ｃ  巻回軸
７ｄ  スクリーン収納用凹部
８    キャスター
９    脚部  
【図１】
0003180029.tif 000003
【図２】
0003180029.tif 000004
【図３】
0003180029.tif 000005
【図４】
0003180029.tif 000006
【図５】
0003180029.tif 000007
【図６】
0003180029.tif 000008
【図７】
0003180029.tif 000009